(57)【要約】【課題】画像処理装置を利用する利用者が操作パネルに指を触れた後、音声による操作設定を読み上げるという簡単な操作で、ユーザが意図する画像処理モードを容易に設定することである。【解決手段】画像処理モードを設定する操作部１００２上の所定のキーに対する利用者の指操作時に、該利用者の指紋情報を読み取り、読み取られる指紋情報とメインサーバ１０１で管理されるユーザ設定ファイルとを照合して利用者を特定するとともに、利用者が読み上げた音声データである検索キー情報に基づき、該特定された利用者に関するユーザ設定ファイルをメインサーバ１０１から取得し、該取得されるユーザ設定ファイルに対する操作部１００２に対する利用者からの選択指示に基づき、画像処理モードを確定する構成を特徴とする。【選択図】　　　図２
2004030392.tif 000002
【特許請求の範囲】
【請求項１】
サーバ装置と通信可能な画像処理装置であって、
画像処理モードを設定する操作部上の所定のキーに対する利用者の指操作時に、該利用者の指紋情報を読み取る読取り手段と、
前記操作部上で設定可能な画像処理モードを音声指示入力する音声入力手段と、
前記読取り手段により読み取られる指紋情報と前記サーバ装置で管理されるユーザ設定ファイルとを照合して利用者を特定する特定手段と、
前記音声入力手段により利用者が読み上げた検索キー情報に基づき、前記特定手段により特定された利用者に関するユーザ設定ファイルを前記サーバ装置から取得する第１の取得手段と、
前記第１の取得手段により取得されるユーザ設定ファイルに対する前記操作部に対する利用者からの選択指示に基づき、画像処理モードを確定する第１の制御手段と、
を有することを特徴とする画像処理装置。
【請求項２】
サーバ装置と通信可能な画像処理装置であって、
画像処理モードを設定する操作部上の所定のキーに対する利用者の指操作時に、該利用者の指紋情報を読み取る読取り手段と、
前記操作部上で設定可能な画像処理モードを音声指示入力する音声入力手段と、
前記読取り手段により読み取られる指紋情報と前記サーバ装置で管理されるユーザ設定ファイルとを照合して利用者を特定する特定手段と、
前記音声入力手段により利用者が読み上げた検索キー情報に基づき、前記特定手段により特定された利用者に関するユーザ別の操作ログファイルを前記サーバ装置から取得する第２の取得手段と、
前記第２の取得手段により取得される操作ログファイルに対する前記操作部に対する利用者からの選択指示に基づき、画像処理モードを確定する第２の制御手段と、
を有することを特徴とする画像処理装置。
【請求項３】
前記第１の制御手段により確定された画像処理モードに基づく画像処理に要する課金データを前記サーバ装置に転送してキャッシュレス精算する第１の課金精算要求手段を備えることを特徴とする請求項１記載の画像処理装置。
【請求項４】
前記第２の制御手段により確定された画像処理モードに基づく画像処理に要する課金データを前記サーバ装置に転送してキャッシュレス精算する第２の課金精算要求手段を備えることを特徴とする請求項２記載の画像処理装置。
【請求項５】
前記特定手段により利用者が前記サーバ装置で管理される利用者でないと特定された場合に、前記利用者が現金精算すべき利用者であることを明示する監視警告部を稼働状態とする警告制御手段を備えることを特徴とする請求項１または２記載の画像処理装置。
【請求項６】
前記操作部上の所定のキーは、節電モードを解除指示するタッチパネルキーであることを特徴とする請求項１または２記載の画像処理装置。
【請求項７】
前記特定手段により利用者が前記サーバ装置で管理される利用者でないと特定された場合に、前記利用者が現金精算すべき代金を確定する請求確認シートをプリントアウトすることを特徴とする請求項１または２記載の画像処理装置。
【請求項８】
前記第１の制御手段は、音声指示入力されるオペレーションコードに基づき、前記サーバ装置から取得する画像処理モード中から画像処理モードを確定することを特徴とする請求項１記載の画像処理装置。
【請求項９】
前記第２の制御手段は、音声指示入力される操作ログコードに基づき、前記サーバ装置から取得する画像処理モード中から画像処理モードを確定することを特徴とする請求項２記載の画像処理装置。
【請求項１０】
所定の通信媒体を利用して画像処理装置と通信可能なサーバ装置であって、
前記画像処理装置から通知される画像処理モード，指紋データ，音声データ，課金データを解析してユーザ設定ファイル格納部にユーザＩＤとともに登録して管理する管理手段と、
前記ユーザＩＤに従い課金データに基づく利用料金を電子取引で決済する課金処理手段と、
を有することを特徴とするサーバ装置。
【請求項１１】
前記画像処理装置からの指紋照会要求に基づき、該利用者がユーザ設定ファイル格納部に登録されたユーザ設定ファイル登録者かどうかを判断する第１の判断手段と、
前記画像処理装置からの音声認識要求に基づき、該利用者がユーザ設定ファイル格納部に登録されたユーザ設定ファイル登録者かどうかを判断する第２の判断手段と、
前記画像処理装置からの課金照会要求に基づき、該利用者がユーザ設定ファイル格納部に登録されたユーザ設定ファイル登録者かどうかを判断する第３の判断手段と、
を備えることを特徴とする請求項１０記載のサーバ装置。
【請求項１２】
前記管理手段は、前記所定の通信媒体を介してユーザ装置から受信するユーザ設定ファイルに基づき、前記ユーザ設定ファイル格納部に格納されているユーザ設定ファイルの更新を行うことを特徴とする請求項１０記載のサーバ装置。
【請求項１３】
サーバ装置と画像処理装置とが通信可能な画像処理システムであって、
前記画像処理装置は、
画像処理モードを設定する操作部と、
前記操作部上の所定のキーに対する利用者の指操作時に、該利用者の指紋情報を読み取る読取り手段と、
前記操作部上で設定可能な画像処理モードを音声指示入力する音声入力手段と、
前記読取り手段により読み取られる指紋情報と前記サーバ装置で管理されるユーザ設定ファイルとを照合して利用者を特定する特定手段と、
前記音声入力手段により利用者が読み上げた検索キー情報に基づき、前記特定手段により特定された利用者に関するユーザ設定ファイルを前記サーバ装置から取得する第１の取得手段と、
前記第１の取得手段により取得されるユーザ設定ファイルに対する前記操作部に対する利用者からの選択指示に基づき、画像処理モードを確定する第１の制御手段とを備え、
前記サーバ装置は、
前記画像処理装置から通知される画像処理モード，指紋データ，音声データ，課金データを解析してユーザ設定ファイル格納部にユーザＩＤとともに登録して管理する管理手段と、
前記ユーザＩＤに従い課金データに基づく利用料金を電子取引で決済する課金処理手段とを備えることを特徴とする画像処理システム。
【請求項１４】
サーバ装置と画像処理装置とが通信可能な画像処理システムであって、
前記画像処理装置は、
画像処理モードを設定する操作部と、
前記操作部上の所定のキーに対する利用者の指操作時に、該利用者の指紋情報を読み取る読取り手段と、
前記操作部上で設定可能な画像処理モードを音声指示入力する音声入力手段と、
前記読取り手段により読み取られる指紋情報と前記サーバ装置で管理されるユーザ設定ファイルとを照合して利用者を特定する特定手段と、
前記音声入力手段により利用者が読み上げた検索キー情報に基づき、前記特定手段により特定された利用者に関するユーザ別の操作ログファイルを前記サーバ装置から取得する第２の取得手段と、
前記第２の取得手段により取得される操作ログファイルに対する前記操作部に対する利用者からの選択指示に基づき、画像処理モードを確定する第２の制御手段とを備え、
前記サーバ装置は、
前記画像処理装置から通知される画像処理モード，指紋データ，音声データ，課金データを解析してユーザ設定ファイル格納部にユーザＩＤとともに登録して管理する管理手段と、
前記ユーザＩＤに従い課金データに基づく利用料金を電子取引で決済する課金処理手段と、
を備えることを特徴とする画像処理システム。
【請求項１５】
前記画像処理装置からの指紋照会要求に基づき、該利用者がユーザ設定ファイル格納部に登録されたユーザ設定ファイル登録者かどうかを判断する第１の判断手段と、
前記画像処理装置からの音声認識要求に基づき、該利用者がユーザ設定ファイル格納部に登録されたユーザ設定ファイル登録者かどうかを判断する第２の判断手段と、
前記画像処理装置からの課金照会要求に基づき、該利用者がユーザ設定ファイル格納部に登録されたユーザ設定ファイル登録者かどうかを判断する第３の判断手段と、
を備えることを特徴とする請求項１３または１４記載の画像処理システム。
【請求項１６】
サーバ装置と通信可能な画像処理装置における画像処理設定方法であって、
画像処理モードを設定する操作部上の所定のキーに対する利用者の指操作時に、該利用者の指紋情報を読み取る読取りステップと、
前記操作部上で設定可能な画像処理モードを音声指示入力する音声入力ステップと、
前記読取りステップにより読み取られる指紋情報と前記サーバ装置で管理されるユーザ設定ファイルとを照合して利用者を特定する特定ステップと、
前記音声入力ステップにより利用者が読み上げた検索キー情報に基づき、前記特定ステップにより特定された利用者に関するユーザ設定ファイルを前記サーバ装置から取得する第１の取得ステップと、
前記第１の取得ステップにより取得されるユーザ設定ファイルに対する前記操作部に対する利用者からの選択指示に基づき、画像処理モードを確定する第１の制御ステップと、
を有することを特徴とする画像処理設定方法。
【請求項１７】
サーバ装置と通信可能な画像処理装置における画像処理設定方法であって、
画像処理モードを設定する操作部上の所定のキーに対する利用者の指操作時に、該利用者の指紋情報を読み取る読取りステップと、
前記操作部上で設定可能な画像処理モードを音声指示入力する音声入力ステップと、
前記読取りステップにより読み取られる指紋情報と前記サーバ装置で管理されるユーザ設定ファイルとを照合して利用者を特定する特定ステップと、
前記音声入力ステップにより利用者が読み上げた検索キー情報に基づき、前記特定ステップにより特定された利用者に関するユーザ別の操作ログファイルを前記サーバ装置から取得する第２の取得ステップと、
前記第２の取得ステップにより取得される操作ログファイルに対する前記操作部に対する利用者からの選択指示に基づき、画像処理モードを確定する第２の制御ステップと、
を有することを特徴とする画像処理設定方法。
【請求項１８】
前記第１の制御ステップにより確定された画像処理モードに基づく画像処理に要する課金データを前記サーバ装置に転送してキャッシュレス精算する第１の課金精算要求ステップを備えることを特徴とする請求項１６記載の画像処理設定方法。
【請求項１９】
前記第２の制御ステップにより確定された画像処理モードに基づく画像処理に要する課金データを前記サーバ装置に転送してキャッシュレス精算する第２の課金精算要求ステップを備えることを特徴とする請求項１７記載の画像処理設定方法。
【請求項２０】
前記特定ステップにより利用者が前記サーバ装置で管理される利用者でないと特定された場合に、前記利用者が現金精算すべき利用者であることを明示する監視警告部を稼働状態とする警告制御ステップを備えることを特徴とする請求項１６または１７記載の画像処理設定方法。
【請求項２１】
前記操作部上の所定のキーは、節電モードを解除指示するタッチパネルキーであることを特徴とする請求項１６または１７記載の画像処理設定方法。
【請求項２２】
前記特定ステップにより利用者が前記サーバ装置で管理される利用者でないと特定された場合に、前記利用者が現金精算すべき代金を確定する請求確認シートをプリントアウトする請求項１６または１７記載の画像処理設定方法。
【請求項２３】
前記第１の制御ステップは、音声指示入力されるオペレーションコードに基づき、前記サーバ装置から取得する画像処理モード中から画像処理モードを確定することを特徴とする請求項１６記載の画像処理設定方法。
【請求項２４】
前記第２の制御ステップは、音声指示入力される操作ログコードに基づき、前記サーバ装置から取得する画像処理モード中から画像処理モードを確定することを特徴とする請求項１７記載の画像処理設定方法。
【請求項２５】
所定の通信媒体を利用して画像処理装置と通信可能なサーバ装置における画像処理設定方法であって、
前記画像処理装置から通知される画像処理モード，指紋データ，音声データ，課金データを解析してユーザ設定ファイル格納部にユーザＩＤとともに登録して管理する管理ステップと、
前記ユーザＩＤに従い課金データに基づく利用料金を電子取引で決済する課金処理ステップと、
を有することを特徴とする画像処理設定方法。
【請求項２６】
前記画像処理装置からの指紋照会要求に基づき、該利用者がユーザ設定ファイル格納部に登録されたユーザ設定ファイル登録者かどうかを判断する第１の判断ステップと、
前記画像処理装置からの音声認識要求に基づき、該利用者がユーザ設定ファイル格納部に登録されたユーザ設定ファイル登録者かどうかを判断する第２の判断ステップと、
前記画像処理装置からの課金照会要求に基づき、該利用者がユーザ設定ファイル格納部に登録されたユーザ設定ファイル登録者かどうかを判断する第３の判断ステップと、
を備えることを特徴とする請求項２５記載の画像処理設定方法。
【請求項２７】
前記管理ステップは、前記所定の通信媒体を介してユーザ装置から受信するユーザ設定ファイルに基づき、前記ユーザ設定ファイル格納部に格納されているユーザ設定ファイルの更新を行うことを特徴とする請求項２５記載の画像処理設定方法。
【請求項２８】
画像処理記装置本体に対する不正使用状態を判定する判定手段と、
前記判定手段により不正使用状態であると判定された場合に、前記読取り手段により読み取られる該利用者の指紋情報を防犯情報とともに記憶する記憶手段と、
防犯モード呼び出しコードが入力された場合に、前記記憶手段に記憶された防犯情報と前記指紋情報とを画像出力する防犯情報出力手段と、
を備えることを特徴とする請求項１または２記載の画像処理装置。
【請求項２９】
画像処理記装置本体に対する不正使用状態を判定する判定手段と、
前記判定手段により不正使用状態であると判定された場合に、前記読取り手段により読み取られる該利用者の指紋情報を防犯情報とともに記憶する記憶手段と、
防犯モード呼び出しコードが入力された場合に、前記記憶手段に記憶された防犯情報と前記指紋情報とを画像出力する防犯情報出力手段と、
を備えることを特徴とする請求項１３または１４記載の画像処理システム。
【請求項３０】
不正使用状態を判定する判定ステップと、
前記判定ステップにより不正使用状態であると判定された場合に、前記読取りステップにより読み取られる該利用者の指紋情報を防犯情報とともに記憶手段に記憶する記憶ステップと、
防犯モード呼び出しコードが入力された場合に、前記記憶手段に記憶された防犯情報と前記指紋情報とを画像出力する防犯情報出力ステップと、
を備えることを特徴とする請求項１６または１７記載の画像処理設定方法。
【請求項３１】
請求項１６〜２７，３０のいずれかに記載の画像処理設定方法を実現するプログラムを記憶したことを特徴とするコンピュータが読み取り可能な記憶媒体。
【請求項３２】
請求項１６〜２７，３０のいずれかに記載の画像処理設定方法を実現することを特徴とするプログラム。
【発明の詳細な説明】
【０００１】
【発明の属する技術分野】
本発明は、インターネット等の通信網を利用して所定の画像処理を行う画像処理装置およびサーバ装置およびデータ処理装置とが通信可能な画像処理システムおよび画像処理設定方法およびコンピュータが読取り可能な記憶媒体およびプログラムに関するものである。
【０００２】
【従来の技術】
従来、画像処理装置、例えばコンビニエンスストアに設置されている複写機等を利用して手軽にコピーサービスを受けられるように構成されている。
【０００３】
この際、利用者は、コピーマシンに必要な料金を料金投入機（ベンダーマシン）に投入して、所望のモードを選択する操作指示を行い、必要な部数等を設定した後、スタートキー等を押下して、意図するコピー出力を得られるのが通例である。
【０００４】
一方、画像処理装置の機能も多機能化、デジタル化が急速に進み、操作に関する指示も複雑となっており、不慣れな利用者は操作等にとまどいを感じて、誤操作を招いて、不要な紙無駄と費用を支払うこととなってしまう。
【０００５】
このように従来の画像処理装置においては、両面機能や拡大縮小機能を利用可能な複写処理ではそれぞれの操作はユーザに委ねられている。
【０００６】
また、画像処理装置の設置を提供するコンビニエンスストアは、その料金支払いに関しベンダーマシンを利用するため、システム全体としての占有面積が大規模となり、そのような決済方法以外の決済処理を望む場合も少なくない。
【０００７】
さらに、高齢者社会を迎え、操作手順を利用者に委ねるシステムでは、操作指示が煩雑となり、手軽にコピーサービスを受けることができない。
【０００８】
【発明が解決しようとする課題】
このように従来の画像処理装置を利用するサービスをコンビニエンスストアで受ける場合、不特定のユーザが利用することを前提としている環境のため、何らユーザの操作設定を記憶しておく手段を備えておらず、サービスを利用する頻度の高い利用者は、同一のコピー操作を行う場合であっても、煩雑な操作負担が必要とされるため、簡単な操作で同一のあるいはそれに類似するような画像処理結果を簡単に得ることができない。すなわち、利用者自身が操作部における操作を簡略できず操作性上問題点があった。
【０００９】
また、利用者がマニュアル操作を行うことなく、すなわちタッチレスで操作指示を行いたいという要求に対して、現存の画像処理システムは対応できず、利用者の利便性に柔軟に適応できないという問題点があった。
【００１０】
さらに、画像処理サービスを受ける利用者が支払うべき決済も、その都度紙幣または硬貨をベンダーマシンに投入する方式では、ユーザの操作負担が煩雑となって面倒である等の問題点があった。
【００１１】
本発明は、上記の問題点を解決するためになされたもので、本発明の第１の目的は、サーバ装置と通信可能な画像処理装置において、画像処理モードを設定する操作部上の所定のキーに対する利用者の指操作時に、該利用者の指紋情報を読み取り、読み取られる指紋情報と前記サーバ装置で管理されるユーザ設定ファイルとを照合して利用者を特定するとともに、利用者が読み上げた音声データである検索キー情報に基づき、該特定された利用者に関するユーザ設定ファイルを前記サーバ装置から取得し、該取得されるユーザ設定ファイルに対する前記操作部に対する利用者からの選択指示に基づき、画像処理モードを確定することにより、画像処理装置を利用する利用者が操作パネルに指を触れた後、音声による操作設定を読み上げるという簡単な操作で、ユーザが意図する画像処理モードを容易に設定できる画像処理装置および画像処理設定方法およびコンピュータが読取り可能な記憶媒体およびプログラムを提供することである。
【００１２】
また、第２の目的は、インターネットを利用して画像処理装置と通信可能なサーバ装置において、画像処理装置から通知される画像処理モード，指紋データ，音声データ，課金データを解析してユーザ設定ファイル格納部にユーザＩＤとともに登録して管理して、ユーザＩＤに従い課金データに基づく利用料金を電子取引で決済することにより、店舗等に設置される課金処理が必要な画像処理装置におけるユーザが精算すべき利用料金を自動決済処理できるサーバ装置および画像処理設定方法およびコンピュータが読取り可能な記憶媒体およびプログラムを提供することである。
【００１３】
さらに、第３の目的は、サーバ装置と画像処理装置とが通信可能な画像処理システムにおいて、画像処理モードを設定する操作部上の所定のキーに対する利用者の指操作時に、該利用者の指紋情報を読み取り、読み取られる指紋情報と前記サーバ装置で管理されるユーザ設定ファイルとを照合して利用者を特定するとともに、利用者が読み上げた音声データである検索キー情報に基づき、該特定された利用者に関するユーザ設定ファイルを前記サーバ装置から取得し、該取得されるユーザ設定ファイルに対する前記操作部に対する利用者からの選択指示に基づき、画像処理モードを確定するとともに、画像処理装置から通知される画像処理モード，指紋データ，音声データ，課金データを解析してユーザ設定ファイル格納部にユーザＩＤとともに登録して管理して、ユーザＩＤに従い課金データに基づく利用料金を電子取引で決済することにより、画像処理装置を利用する利用者が操作パネルに指を触れた後、音声による操作設定を読み上げるという簡単な操作で、ユーザが意図する画像処理モードを容易に設定できるとともに、店舗等に設置される課金処理が必要な画像処理装置におけるユーザが精算すべき利用料金を自動決済処理して、利用者が意図する画像処理サービスを快適に利用できる利便性に優れた画像処理システム環境を自在に構築できる画像処理システムを提供することである。
【００１４】
【課題を解決するための手段】
本発明に係る第１の発明は、サーバ装置と通信可能な画像処理装置であって、画像処理モードを設定する操作部上の所定のキーに対する利用者の指操作時に、該利用者の指紋情報を読み取る読取り手段（図２に示す操作部１００２に相当）と、前記操作部上で設定可能な画像処理モードを音声指示入力する音声入力手段（図２に示すマイク１０１４，音声入力処理部１０１５に相当）と、前記読取り手段により読み取られる指紋情報と前記サーバ装置で管理されるユーザ設定ファイルとを照合して利用者を特定する特定手段（図２に示す制御部１００９がメインサーバ１０１に対する問い合わせ結果に基づいて特定する構成に相当）と、前記音声入力手段により利用者が読み上げた検索キー情報に基づき、前記特定手段により特定された利用者に関するユーザ設定ファイルを前記サーバ装置から取得する第１の取得手段（図２に示す制御部１００９に相当）と、前記第１の取得手段により取得されるユーザ設定ファイルに対する前記操作部に対する利用者からの選択指示に基づき、画像処理モードを確定する第１の制御手段（図２に示す制御部１００９に相当）とを有することを特徴とする。
【００１５】
本発明に係る第２の発明は、サーバ装置と通信可能な画像処理装置であって、画像処理モードを設定する操作部上の所定のキーに対する利用者の指操作時に、該利用者の指紋情報を読み取る読取り手段（図２に示す操作部１００２に相当）と、前記操作部上で設定可能な画像処理モードを音声指示入力する音声入力手段と、前記読み取り手段により読み取られる指紋情報と前記サーバ装置で管理されるユーザ設定ファイルとを照合して利用者を特定する特定手段（図２に示す制御部１００９がメインサーバ１０１に対する問い合わせ結果に基づいて特定する構成に相当）と、前記音声入力手段により利用者が読み上げた検索キー情報に基づき、前記特定手段により特定された利用者に関するユーザ別の操作ログファイルを前記サーバ装置から取得する第２の取得手段（図２に示す制御部１００９に相当）と、前記第２の取得手段により取得される操作ログファイルに対する前記操作部に対する利用者からの選択指示に基づき、画像処理モードを確定する第２の制御手段（図２に示す制御部１００９に相当）とを有することを特徴とする。
【００１６】
本発明に係る第３の発明は、前記第１の制御手段により確定された画像処理モードに基づく画像処理に要する課金データを前記サーバ装置に転送してキャッシュレス精算する第１の課金精算要求手段（図２に示す制御部１００９に相当）を備えることを特徴とする。
【００１７】
本発明に係る第４の発明は、前記第２の制御手段により確定された画像処理モードに基づく画像処理に要する課金データを前記サーバ装置に転送してキャッシュレス精算する第２の課金精算要求手段（図２に示す制御部１００９に相当）を備えることを特徴とする。
【００１８】
本発明に係る第５の発明は、前記特定手段により利用者が前記サーバ装置で管理される利用者でないと特定された場合に、前記利用者が現金精算すべき利用者であることを明示する監視警告部を稼働状態とする警告制御手段（図２に示す制御部１００９がランプドライバ１０１３を介して警告灯１０１２を駆動する構成に相当）を備えることを特徴とする。
【００１９】
本発明に係る第６の発明は、前記操作部上の所定のキーは、節電モードを解除指示するタッチパネルキーであることを特徴とする。
【００２０】
本発明に係る第７の発明は、前記特定手段により利用者が前記サーバ装置で管理される利用者でないと特定された場合に、前記利用者が現金精算すべき代金を確定する請求確認シートをプリントアウトすることを特徴とする。
【００２１】
本発明に係る第８の発明は、前記第１の制御手段は、音声指示入力されるオペレーションコードに基づき、前記サーバ装置から取得する画像処理モード中から画像処理モードを確定することを特徴とする。
【００２２】
本発明に係る第９の発明は、前記第２の制御手段は、音声指示入力される操作ログコードに基づき、前記サーバ装置から取得する画像処理モード中から画像処理モードを確定することを特徴とする。
【００２３】
本発明に係る第１０の発明は、所定の通信媒体を利用して画像処理装置と通信可能なサーバ装置であって、前記画像処理装置から通知される画像処理モード，指紋データ，音声データ，課金データを解析してユーザ設定ファイル格納部にユーザＩＤとともに登録して管理する管理手段（図５に示すユーザ設定ファイル管理部５０４に相当）と、前記ユーザＩＤに従い課金データに基づく利用料金を電子取引で決済する課金処理手段（図５に示す課金処理部５０５に相当）とを有することを特徴とする。
【００２４】
本発明に係る第１１の発明は、前記画像処理装置からの指紋照会要求に基づき、該利用者がユーザ設定ファイル格納部に登録されたユーザ設定ファイル登録者かどうかを判断する第１の判断手段（図５に示す指紋処理部５０１に相当）と、前記画像処理装置からの音声認識要求に基づき、該利用者がユーザ設定ファイル格納部に登録されたユーザ設定ファイル登録者かどうかを判断する第２の判断手段（図５に示す音声処理部５０２に相当）と、前記画像処理装置からの課金照会要求に基づき、該利用者がユーザ設定ファイル格納部に登録されたユーザ設定ファイル登録者かどうかを判断する第３の判断手段（図５に示すユーザ設定ファイル管理部５０４に相当）とを備えることを特徴とする。
【００２５】
本発明に係る第１２の発明は、前記管理手段は、前記所定の通信媒体を介してユーザ装置から受信するユーザ設定ファイルに基づき、前記ユーザ設定ファイル格納部に格納されているユーザ設定ファイルの更新を行うことを特徴とする。
【００２６】
本発明に係る第１３の発明は、サーバ装置と画像処理装置とが通信可能な画像処理システムであって、前記画像処理装置は、画像処理モードを設定する操作部上の所定のキーに対する利用者の指操作時に、該利用者の指紋情報を読み取る読取り手段（図２に示す操作部１００２に相当）と、前記操作部上で設定可能な画像処理モードを音声指示入力する音声入力手段（図２に示す音声入力処理部１０１５に相当）と、前記読取り手段により読み取られる指紋情報と前記サーバ装置で管理されるユーザ設定ファイルとを照合して利用者を特定する特定手段（図２に示す制御部１００９がメインサーバ１０１に対する問い合わせ結果に基づいて特定する構成に相当）と、前記音声入力手段により利用者が読み上げた検索キー情報に基づき、前記特定手段により特定された利用者に関するユーザ設定ファイルを前記サーバ装置から取得する第１の取得手段（図２に示す制御部１００９に相当）と、前記第１の取得手段により取得されるユーザ設定ファイルに対する前記操作部に対する利用者からの選択指示に基づき、画像処理モードを確定する第１の制御手段（図２に示す制御部１００９に相当する）とを備え、前記サーバ装置は、前記画像処理装置から通知される画像処理モード，指紋データ，音声データ，課金データを解析してユーザ設定ファイル格納部にユーザＩＤとともに登録して管理する管理手段（図５に示すユーザ設定ファイル管理部５０４に相当）と、前記ユーザＩＤに従い課金データに基づく利用料金を電子取引で決済する課金処理手段（図５に示す課金処理部５０５に相当）とを備えることを特徴とする。
【００２７】
本発明に係る第１４の発明は、サーバ装置と画像処理装置とが通信可能な画像処理システムであって、前記画像処理装置は、画像処理モードを設定する操作部上の所定のキーに対する利用者の指操作時に、該利用者の指紋情報を読み取る読取り手段（図２に示す操作部１００２に相当）と、前記操作部上で設定可能な画像処理モードを音声指示入力する音声入力手段と、前記読取り手段により読み取られる指紋情報と前記サーバ装置で管理されるユーザ設定ファイルとを照合して利用者を特定する特定手段（図２に示す制御部１００９がメインサーバ１０１に対する問い合わせ結果に基づいて特定する構成に相当）と、前記音声入力手段により利用者が読み上げた検索キー情報に基づき、前記特定手段により特定された利用者に関するユーザ別の操作ログファイルを前記サーバ装置から取得する第２の取得手段（図２に示す制御部１００９に相当する）と、前記第２の取得手段により取得される操作ログファイルに対する前記操作部に対する利用者からの選択指示に基づき、画像処理モードを確定する第２の制御手段（図２に示す制御部１００９に相当する）とを備え、前記サーバ装置は、前記画像処理装置から通知される画像処理モード，指紋データ，音声データ，課金データを解析してユーザ設定ファイル格納部にユーザＩＤとともに登録して管理する管理手段（図５に示すユーザ設定ファイル管理部５０４に相当）と、前記ユーザＩＤに従い課金データに基づく利用料金を電子取引で決済する課金処理手段（図５に示す課金処理部５０５に相当）とを備えることを特徴とする。
【００２８】
本発明に係る第１５の発明は、前記画像処理装置からの指紋照会要求に基づき、該利用者がユーザ設定ファイル格納部に登録されたユーザ設定ファイル登録者かどうかを判断する第１の判断手段（図５に示す指紋処理部５０１に相当）と、前記画像処理装置からの音声認識要求に基づき、該利用者がユーザ設定ファイル格納部に登録されたユーザ設定ファイル登録者かどうかを判断する第２の判断手段（図５に示す音声処理部５０２に相当）と、前記画像処理装置からの課金照会要求に基づき、該利用者がユーザ設定ファイル格納部に登録されたユーザ設定ファイル登録者かどうかを判断する第３の判断手段（図５に示すユーザ設定ファイル管理部５０４に相当）とを備えることを特徴とする。
【００２９】
本発明に係る第１６の発明は、サーバ装置と通信可能な画像処理装置における画像処理設定方法であって、画像処理モードを設定する操作部上の所定のキーに対する利用者の指操作時に、該利用者の指紋情報を読み取る読取りステップ（図示しない）と、前記操作部上で設定可能な画像処理モードを音声指示入力する音声入力ステップ（図８に示すステップ（９））と、前記読取りステップにより読み取られる指紋情報と前記サーバ装置で管理されるユーザ設定ファイルとを照合して利用者を特定する特定ステップ（図８に示すステップ（２））と、前記音声入力ステップにより利用者が読み上げた検索キー情報に基づき、前記特定ステップにより特定された利用者に関するユーザ設定ファイルを前記サーバ装置から取得する第１の取得ステップ（図８に示すステップ（１５））と、前記第１の取得ステップにより取得されるユーザ設定ファイルに対する前記操作部に対する利用者からの選択指示に基づき、画像処理モードを確定する第１の制御ステップ（図８に示すステップ（１７））とを有することを特徴とする。
【００３０】
本発明に係る第１７の発明は、サーバ装置と通信可能な画像処理装置における画像処理設定方法であって、画像処理モードを設定する操作部上の所定のキーに対する利用者の指操作時（図８に示すステップ（１））に、該利用者の指紋情報を読み取る読取りステップ（図示しない）と、前記操作部上で設定可能な画像処理モードを音声指示入力する音声入力ステップ（図８に示すステップ（８））と、前記読取りステップにより読み取られる指紋情報と前記サーバ装置で管理されるユーザ設定ファイルとを照合して利用者を特定する特定ステップ（図８に示すステップ（２））と、前記音声入力ステップにより利用者が読み上げた検索キー情報に基づき、前記特定ステップにより特定された利用者に関するユーザ別の操作ログファイルを前記サーバ装置から取得する第２の取得ステップ（図８に示すステップ（１４））と、前記第２の取得ステップにより取得される操作ログファイルに対する前記操作部に対する利用者からの選択指示に基づき、画像処理モードを確定する第２の制御ステップ（図８に示すステップ（１７））とを有することを特徴とする。
【００３１】
本発明に係る第１８の発明は、前記第１の制御ステップにより確定された画像処理モードに基づく画像処理に要する課金データを前記サーバ装置に転送してキャッシュレス精算する第１の課金精算要求ステップ（図示しない）を備えることを特徴とする。
【００３２】
本発明に係る第１９の発明は、前記第２の制御ステップにより確定された画像処理モードに基づく画像処理に要する課金データを前記サーバ装置に転送してキャッシュレス精算する第２の課金精算要求ステップ（図示しない）を備えることを特徴とする。
【００３３】
本発明に係る第２０の発明は、前記特定ステップにより利用者が前記サーバ装置で管理される利用者でないと特定された場合に、前記利用者が現金精算すべき利用者であることを明示する監視警告部を稼働状態とする警告制御ステップ（図示しない）を備えることを特徴とする。
【００３４】
本発明に係る第２１の発明は、前記操作部上の所定のキーは、節電モードを解除指示するタッチパネルキーであることを特徴とする。
【００３５】
本発明に係る第２２の発明は、前記特定ステップにより利用者が前記サーバ装置で管理される利用者でないと特定された場合に、前記利用者が現金精算すべき代金を確定する請求確認シートをプリントアウトする（図８に示すステップ（２１））ことを特徴とする。
【００３６】
本発明に係る第２３の発明は、前記第１の制御ステップは、音声指示入力されるオペレーションコードに基づき、前記サーバ装置から取得する画像処理モード中から画像処理モードを確定することを特徴とする。
【００３７】
本発明に係る第２４の発明は、前記第２の制御ステップは、音声指示入力される操作ログコードに基づき、前記サーバ装置から取得する画像処理モード中から画像処理モードを確定することを特徴とする。
【００３８】
本発明に係る第２５の発明は、所定の通信媒体を利用して画像処理装置と通信可能なサーバ装置における画像処理設定方法であって、前記画像処理装置から通知される画像処理モード，指紋データ，音声データ，課金データを解析してユーザ設定ファイル格納部にユーザＩＤとともに登録して管理する管理ステップ（図示しない）と、前記ユーザＩＤに従い課金データに基づく利用料金を電子取引で決済する課金処理ステップ（図１０に示すステップ（４４））とを有することを特徴とする。
【００３９】
本発明に係る第２６の発明は、前記画像処理装置からの指紋照会要求に基づき、該利用者がユーザ設定ファイル格納部に登録されたユーザ設定ファイル登録者かどうかを判断する第１の判断ステップ（図１０に示すステップ（３３））と、前記画像処理装置からの音声認識要求に基づき、該利用者がユーザ設定ファイル格納部に登録されたユーザ設定ファイル登録者かどうかを判断する第２の判断ステップ（図１０に示すステップ（３９））と、前記画像処理装置からの課金照会要求に基づき、該利用者がユーザ設定ファイル格納部に登録されたユーザ設定ファイル登録者かどうかを判断する第３の判断ステップ（図１０に示すステップ（４３））とを備えることを特徴とする。
【００４０】
本発明に係る第２７の発明は、前記管理ステップは、所定の通信媒体を介してユーザ装置から受信するユーザ設定ファイルに基づき、前記ユーザ設定ファイル格納部に格納されているユーザ設定ファイルの更新を行うことを特徴とする。
【００４１】
本発明に係る第２８の発明は、画像処理記装置本体に対する不正使用状態を判定する判定手段と、前記判定手段により不正使用状態であると判定された場合に、前記読取り手段により読み取られる該利用者の指紋情報を防犯情報とともに記憶する記憶手段と、防犯モード呼び出しコードが入力された場合に、前記記憶手段に記憶された防犯情報と前記指紋情報とを画像出力する防犯情報出力手段とを備えることを特徴とする。
【００４２】
本発明に係る第２９の発明は、不正使用状態を判定する判定手段と、前記判定手段により不正使用状態であると判定された場合に、前記読取り手段により読み取られる該利用者の指紋情報を防犯情報とともに記憶する記憶手段と、防犯モード呼び出しコードが入力された場合に、前記記憶手段に記憶された防犯情報と前記指紋情報とを画像出力する防犯情報出力手段とを備えることを特徴とする。
【００４３】
本発明に係る第３０の発明は、画像処理記装置本体に対する不正使用状態を判定する判定ステップと、前記判定ステップにより不正使用状態であると判定された場合に、前記読取りステップにより読み取られる該利用者の指紋情報を防犯情報とともに記憶手段に記憶する記憶ステップと、防犯モード呼び出しコードが入力された場合に、前記記憶手段に記憶された防犯情報と前記指紋情報とを画像出力する防犯情報出力ステップとを備えることを特徴とする。
【００４４】
本発明に係る第３１の発明は、第１６〜第２７，３０の発明のいずれかに記載の画像処理設定方法を実現するプログラムを記憶した記憶媒体であることを特徴とする。
【００４５】
本発明に係る第３２の発明は、第１６〜第２７，３０の発明のいずれかに記載の画像処理設定方法を実現するプログラムであることを特徴とする。
【００４６】
【発明の実施の形態】
〔第１実施形態〕
図１は、本発明に係る画像処理装置およびサーバ装置を適用可能な画像処理システムの一例を示す図であり、例えばインターネットを利用したユーザ設定ファイルの登録と該登録されたユーザ設定ファイルの呼び出しを指紋照合と音声入力により自動化可能なシステム例に対応する。
【００４７】
図１において、１０１は本実施形態における主たる処理機能を有する情報処理装置（図２に後述する、ＣＰＵ、ＲＯＭ、ＲＡＭ、ＨＤＤなどから構成されるコンピュータシステム）であって、以下単にメインサーバと記す。メインサーバ１０１はインターネットにおいて一般的にサーバと呼ばれる情報処理装置であって、後述するインターネット１０５に常時接続されており、外部からの処理要求に応じてデータの返信などの処理を行う機能を有する。
【００４８】
メインサーバ１０１は、例えば、一般的にファイルサーバまたはデータベースサーバと呼ばれる、大容量の外部記憶装置システムや複数の情報処理装置を接続して構成することも可能であるが、本実施形態の説明においては、単一の情報処理処置の場合と差異がないため、単一の情報処理装置として説明する。
【００４９】
１０２（１）、１０２（２）、１０２（３）は、本実施形態の利用者が直接操作する情報処理装置であって、以下単にユーザ装置とする。本実施形態においては１つ以上のユーザ装置１０２（Ｎ）が利用可能であって、図１中では複数記載されているが、各ユーザ装置１０２（Ｎ）の機能は同一であるので、以下単にユーザ装置１０２で総称して説明する。
【００５０】
ユーザ装置１０２は、一般的に普及しているパーソナルコンピュータであって、利用者の操作等により後述するネットワーク１０５に接続する、例えばモデム，ルータなどの通信装置と、利用者が所望するインターネットのサーバ、例えばメインサーバ１０１に対して処理要求を送信し、該メインサーバ１０１より返信されたデータを表示する、一般的にインターネットブラウザと呼ばれる例えばＭｉｃｒｏｓｏｆｔ社のＩｎｔｅｒｎｅｔ　Ｅｘｐｌｏｒｅｒ　（商品名）などのデータ閲覧機能を有する。本システムの利用者は、ユーザ装置１０２を用いて、アプリケーションを実行してメインサーバ１０１と通信して、メインサーバ１０１が管理する記憶装置上にユーザ情報（ユーザが意図する画像処理設定情報（通常は、画像処理装置の操作パネルにて操作設定されるもの））を設定登録することが可能に構成されている。
【００５１】
１０３（１）、１０３（２）、１０３（３）は、本実施形態において、利用者が検索し印刷される画像データの提供者（以下、単に管理者装置とする）が直接操作する情報処理装置であって、以下単に提供装置とする。
【００５２】
本実施形態においては１つ以上の管理者装置１０３（Ｎ）が利用可能であって、図１中は複数記載されているが、各管理者装置１０３（Ｎ）の機能は同一であるので、以下単に管理者装置１０３で総称して説明する。
【００５３】
管理者装置１０３は、ユーザ装置１０２と同様に、インターネット１０５への接続機能と、データ閲覧機能を有する。
【００５４】
１０４（１）、１０４（２）、１０４（３）は、本実施形態において利用者の注文した画像データの印刷を行う画像処理システムであって、後述するようにスキャナ，プリンタ，画像処理部，通信処理部等で構成される。
【００５５】
本実施形態においては１つ以上の画像処理システム１０４（Ｎ）が利用可能であって、図１中は複数記載されているが、画像処理システム１０４（Ｎ）の機能は同等であるので、以下単に画像処理システム１０４で総称して説明する。画像処理システム１０４は、インターネット１０５に接続するための例えばネットワークシステムを介して、メインサーバ１０１からユーザ設定ファイルデータを受信し、画像処理システムで自動設定する機能を有する。
【００５６】
図２は、本発明の一実施形態を示す画像処理装置の制御構成を説明するブロック図であり、本実施形態では一例としてデジタル複写機を挙げて説明する。
【００５７】
図において、１００１はデジタル複写機本体で、操作部１００２，リーダ部１００３，プリンタ部１００４から構成される。操作部１００２は、処理モード等各種設定の入力及びデジタル複写機本体１００１及び画像入出力制御部１００５を操作するために使用する。
【００５８】
リーダ部１００３は原稿の画像を読み取り、原稿画像に応じた画像データを画像入出力制御部１００５へ出力する。画像入出力制御部１００５へ出力された画像データは制御部１００９を介してハードディスク１００８に一時的に保存される。プリンタ部１００４は、制御部１００９を介してハードディスク１００８から取り出した画像データに応じた画像を記録紙上に記録する。なお、リーダ部１００３およびプリンタ部１００４の構成については後述する図３において詳細に説明する。
【００５９】
画像入出力制御部１００５は、リーダ部１００３に接続されており、ファクシミリ部１００６，コンピュータインタフェース部１００７，ハードディスク１００８，制御部１００９から構成される。
【００６０】
ファクシミリ部１００６は、電話回線を介して受信した圧縮画像データを伸長して、伸長された画像データを制御部１００９へ転送し、又、制御部１００９から転送された画像データを圧縮して、圧縮された圧縮画像データを電話回線を介して送信する。なお、ファクシミリ部１００６により受信した圧縮画像データは、ハードディスク１００８に一時的に保存することができる。
【００６１】
コンピュータインタフェース部１００７は、パーソナルコンピュータ又はワークステーション（ＰＣ／ＷＳ）と制御部１００９の間のインタフェースであり、ＰＣ／ＷＳ１０１から転送された画像を表すコードデータ（画像データ，ＰＤＬ（Ｐａｇｅ　Ｄｅｓｃｒｉｐｔｉｏｎ　Ｌａｎｇｕａｇｅ，：ページ記述言語）データ）と、ネットワークスキャナから転送される画像データとをプリンタ部１００４で記録できる画像データ（ビットマップデータ）に展開して制御部１００９を介してハードディスク１００８に記憶する。なお、ここではコンピュータインタフェース部１００７はインターネット１０５を介してＰＣ／ＷＳ１０１と接続されている。
【００６２】
なお、図示はしないが、ＰＣ／ＷＳ１０１は、各種情報を表示する表示部，使用者からの入力を受け付けるキーボード及びポインティングデバイス，ＣＰＵ，ＲＡＭ，ＲＯＭ，ネットワークインタフェース等を有している。又、ネットワークスキャナは、原稿画像を読み取る読取り部，使用者からの入力を受け付ける操作パネル，各種情報を表示する表示部，ＣＰＵ，ＲＡＭ，ＲＯＭ，ネットワークインタフェースを有する。
【００６３】
制御部１００９はリーダ部１００３，ファクシミリ部１００６，コンピュータインタフェース部１００７，ハードディスク１００８各間のデータの流れを制御するものである。１００９ａはＣＰＵで、ＲＯＭ１００９ｃに記憶されるプログラムに基づいて制御部１００９全体の制御を行う。１００９ｂはＲＡＭで、ＣＰＵ１００９ａのワークメモリ等として機能する。２２０はソータ部で、詳細は後述する。
【００６４】
なお、ハードディスク１００８には、ワークとしてのユーザエリアが確保され、該ワーク上で操作部１００２に配設される節電モードキー（タッチパネル上に設けられる）であって、該節電モードキーにユーザが触れた際に、その指紋情報を読み取る手段が備えられており、読み取る手段が読み取った操作指示者の該指紋を一時的に記憶し、ユーザが画像処理を実行させた場合に正当な支払いを完了した場合には、その情報を消去し、支払いが完了しない場合には、保存して、所定の防犯モード呼び出しコードを入力することにより、画像出力されて犯罪捜査に利用可能とするように管理することが可能に構成されている。
【００６５】
なお、指紋情報を読み取る手段は、節電キーがＯＮされた際に、図示しない光学ユニットに設けられる光源ランプを点灯させて、ユーザがタッチしているパネルの背面側から光を照射して、その反射光を、例えば光学ユニットに備えるフォトトランジスタで受光し、その反射画像データから特徴点をサンプリング処理して得られる指紋特徴点データを得る画像処理部を備えているものとする。また、本指紋情報読み取り機構並びに読み取り方法は、上記例に限定されることなく、公知の指紋読み取り機構および読み取り方法を採用可能である。
【００６６】
１０１３はランプドライバ（ドライバ）で、画像処理を実行した利用者が課金処理が未完了の場合に、メインサーバ１０１から通知される警告命令に従い警告灯１０１２を点灯または点滅させて、該画像処理装置が設置されるコンビニエンスストアの店員に注意を喚起させる。
【００６７】
また、図示しないインタフェースを介して、コンビニエンスストアのレジスタとの通信機能を備え、レジスタのキー操作で該利用者が支払うべき画像処理利用代金の請求額をレジスタに表示して、レジ決済可能としてもよい。
【００６８】
１０１４はマイクで、画像処理利用者がメインサーバ１０１に登録しているユーザが設定されているファイルに関する情報を音声入力する。１０１５は音声入力処理部で、マイク１０１４から入力された音声情報をメインサーバ１０１に通知する。なお、メインサーバ１０１から通知されるユーザ設定ファイルを操作部１００２に表示することが可能であるが、その表示内容を読み上げ可能に構成することは任意である。
【００６９】
図３は、図２に示したリーダ部１００３及びプリンタ部１００４の構成を説明する断面図である。
【００７０】
図において、２０１は原稿給送装置で、原稿を最終順に１枚ずつプラテンガラス２０２上へ給送し、原稿の読み取り動作終了後、プラテンガラス２０２上の原稿を排出するものである。２０４はスキャナユニットで、原稿がプラテンガラス２０２上に搬送されると、ランプ２０３を点灯して移動を開始させて、原稿を露光走査する。この時の原稿からの反射光は、ミラー２０５，２０６，２０７及びレンズ２０８によってＣＣＤイメージセンサ（以下ＣＣＤと呼ぶ）２０９へ導かれる。
【００７１】
ＣＣＤ２０９では、このように走査された原稿の画像を読み取り、ＣＣＤ２０９から出力される画像データは、所定の処理が施された後、プリンタ部１００４及び画像入出力制御部１００５の制御部１００９へ転送される。
【００７２】
２２１はレーザドライバで、レーザ発光部２１０を駆動するものである。このレーザドライバ２２１は、レーザ発光部２１０に画像入出力制御部１００５から出力された画像データに基づいたレーザ光を発光させる。２１１は感光ドラムで、レーザドライバ２２１により発光されたレーザ光が照射され、レーザ光に応じた潜像が形成される。２１２は現像器で、感光ドラム２１１に形成された潜像の部分に現像剤を付着させて現像する。
【００７３】
２１３，２１４はカセットで、記録紙が載置される。２１５は転写部で、レーザ光の照射開始と同期したタイミングでカセット２１３及びカセット２１４のいずれかから給紙されて搬送される記録紙に感光ドラム２１１に付着した現像剤を転写する。２１６は定着部で、転写部２１５で現像剤が転写され搬送されてくる記録紙に熱と圧力を加えて現像剤を記録紙に定着させる。
【００７４】
２１８はフラッパで、記録紙の搬送経路を切り替えるものである。２１７は排紙ローラで、記録紙を機外（ここではソータ２２０）に排出するローラである。２２０はソータで、排紙ローラ２１７により排出された記録紙をそれぞれのビンに収納する等の仕分けをしたり、仕分けされた記録紙のステイプルを行う。なお、ソータ２２０は仕分けが設定されていない場合は最上ビンに記録紙を収納する。
【００７５】
なお、両面記録が設定されている場合は、排出ローラ２１７のところまで記録紙を搬送した後、排出ローラ２１７の回転方向を逆転させ、フラッパ２１８によつて再給紙搬送路２１９へ導く。また、多重記録が設定されている場合は、記録紙を排出ローラ２１７まで搬送しないようにフラッパ２１８によって再給紙搬送路２１９へ導く。再給紙搬送路２１９へ導かれた記録紙は上述したタイミングで転写部２１５へ給紙される。
【００７６】
図４は、図２に示した操作部１００２の構成を説明する平面図である。
【００７７】
図において、３０１は主電源ランプで、電源オン時に点灯する。図示しない電源スイッチは、本体の側面に配置され、本体への通電を制御する。３０２は予熱キーで、予熱モードのＯＮ／ＯＦＦを切り替える際に押下する。
【００７８】
３０３はコピーモードキーで、複数の機能の中からコピーモードを選択するときに押下する。３０４はファックスモードキーで、複数の機能の中からファックスモードを選択するときに押下する。３０５は、パーソナルボックスキーであり、複数の機能の中からパーソナルボックスモードを選択するときに押下する。なお、パーソナルボックス機能に関しての詳細な説明は省略する。
【００７９】
３０６はコピースタートキーで、コピーの開始を指示するときに押下するキーである。３０７はストップキーで、コピーを中断したり、中止したりするときに押下するキーである。３０８はリセットキーで、スタンバイ中に押下した場合は標準モードに復帰させるキーとして動作する。３０９はガイドキーで、各機能の説明をタッチパネル３１６に表示させるために押下するキーである。３１０はユーザモードキーで、ユーザがシステムの基本設定を変更するときに押下する。
【００８０】
３１１は割り込みキーで、コピー中に割り込みしてコピーを実行したいときに押下する。３１２はテンキーで、数値の入力を行うときに押下するキー群である。３１３はクリアキーで、数値をクリアするときに押下する。３１４はワンタッチダイヤルキーで、本実施形態では２０個のキーが配列されており、ファクシミリ送信する際にいずれかのワンタッチダイヤルキーを押下すると、キー毎に登録された電話番号に自動的にダイヤルする。
【００８１】
３１５は２枚組のフタで、ワンタッチダイヤルキー３１４の各キー部分がくり抜かれ形状の２重のフタになっている。図示しないセンサスイッチにより、２枚のフタが閉じられた第１の状態、１枚目のフタだけが開いた第２の状態、及び２枚のフタが開いた第３の状態を検出する。これら３種類のフタの開閉状態との組み合わせで、ワンタッチダイヤルキー３１４のキーの動作が決定されるので、本実施形態では、キーが２０×３＝６０個存在するのと同等の効果を持つ。３１６はタッチパネルで、液晶画面とタッチセンサの組合せからなり、各モード毎に個別の設定画面が表示され、さらに、描画されたキーに触れることで、各種の詳細な設定を行うことが可能である。
【００８２】
図５は、図１に示したメインサーバ１０１側のデータ処理機構を説明するブロック図であり、図１と同一のものには同一の符号を付してある。
【００８３】
図５において、５００は通信インタフェースで、インターネット１０５を介してユーザ装置１０２のデータ通信手段５５１と画像処理装置１０４のデータ通信手段５５２と通信可能に構成されている。
【００８４】
５０１は指紋処理部で、ユーザ装置１０２より転送される指紋画像データを処理して特徴を抽出した後、該ユーザ認証用の指紋認証データとしてユーザ設定ファイル格納部５０３上に確保されるユーザフォルダに登録される。
【００８５】
なお、指紋処理部５０１は、画像処理システム１０４の操作部でタッチ入力される利用者の指紋を読み取ると、該読み取られた指紋画像データとユーザ設定ファイル格納部５０３に登録された指紋認証データとの照合処理を行い、その結果を画像処理システム１０４に通知する機能を備えている。
【００８６】
５０２は音声処理部で、画像処理システム１０４のマイク１０１４より利用者が音声入力した設定ファイル呼び出しデータを解析して、ユーザ設定ファイル管理部５０４にその結果を通知する。
【００８７】
ユーザ設定ファイル管理部５０４は、音声解析されたユーザに対応するユーザ設定ファイルをユーザ設定ファイル格納部５０３を検索し、該当するユーザ設定データを呼び出して画像処理システム１０４に通知する機能を備えている。なお、ユーザ設定ファイルの構造については後述する。
【００８８】
５０５は課金処理部で、通信インタフェース５００を介して、ユーザが電子決済するカート゛会社の端末装置に対して、課金ファイル格納部５０６で管理されるユーザが月単位で利用している利用状況（使用回数，利用代金）を積算処理した結果を引き落としデータとして通知する機能を備えている。
【００８９】
なお、本実施形態では、課金ファイル格納部５０６を独立した構成としているが、ユーザ設定ファイル格納部５０３内に前記課金ファイル格納部５０６を確保することは任意である。
【００９０】
図６は、本発明に係る画像処理システムにおける操作設定例を説明する概念図であり、図１，図２と同一のものには同一の符号を付してある。
【００９１】
図６において、３１６Ａは節電モードキーで、ユーザが節電モードを解除する際に押下指示される。そして、該節電モードキー３１６Ａが押下指示するために、利用者が任意の指でパネルに触れると、該指の指紋が読取り処理され、画像処理システム１０４からデータ通信手段５５２，インターネット１０５を介してメインサーバ１０１に自動転送される。
【００９２】
図７は、図５に示したユーザ設定ファイル格納部５０３のデータ構造を説明する図である。
【００９３】
図７において、５０３Ａはユーザ設定ＬＵＴで、ユーザ設定ファイル管理部５０４により、指紋認証データ，個人情報，音声判別データ，クレジット番号，課金データがユーザ別に管理されている。
【００９４】
なお、本実施形態では、指紋認証データ，個人情報，音声判別データ，クレジットカード番号，課金データが画像処理システム１０４の操作部からの設定データを取得して管理している例に対応する。
【００９５】
５０３Ｂはユーザ設定ファイルで、使用ユーザ毎、あるいは登録されたユーザ毎に、設定ファイル（例えばユーザが画像処理システム１０４の操作部より設定したコピー部数，両面設定の有無，拡大設定の有無，縮小設定の有無，カラー出力の有無，白黒設定の有無等が前記ユーザ設定ＬＵＴ５０３Ａを介してリンクされてユーザ設定ファイル管理部５０４により検索可能に管理されている。
【００９６】
５０３ＣはオペレーションＩＤ発行テーブルで、画像処理システム１０４で利用者が設定して画像処理が実行された際に、再度同一の操作組合せ（例えば通常のコピーであっても、部数が異なるとか、部数は同一で拡大処理する設定とするとかを含む）となる設定操作を不要とするためのＩＤ発行指示がなされた場合に、画像処理システム１０４から転送されるオペレーションＩＤデータを取得して、ユーザ設定ファイル管理部５０４により検索可能に管理されている。
【００９７】
５０３Ｄは操作ログで、ユーザ設定ファイル管理部５０４により画像処理システム１０４で実際に処理された操作設定を取得して、ユーザ別に管理される例に対応する。
【００９８】
なお、利用者が画像処理システム１０４の操作部で、該操作ログ５０３Ｄをメインサーバ１０１に対して取得要求を行うことにより、ユーザ設定ファイル管理部５０４がユーザ設定ファイル格納部５０３より呼び出して画像処理システム１０４に転送し、該転送された操作ログ５０３Ｄを操作部に表示して、利用者が一度設定してログ管理されている内容を確認して、利用者が意図する該操作ログを選択することにより、同一のユーザ設定を画像処理システム１０４に自動設定することが可能となっている。
【００９９】
また、利用者が選択する画像処理システム１０４は、利用者の行動パターンにより、常に同じコンビニエンスストアを利用するとは限らず、種々のデジタル画像処理をサービスするデジタルカフェ等も含まれるため、画像処理システム１０４の機能はオプションユニットの構成により一定とは限らない。すなわち、登録されている画像処理モード中で、設定できない用紙選択（Ａ４Ｒが選択できない等），カラー選択（画像処理システム１０４がモノクロ機である場合等），ソータ機能選択（ソータがない場合）等も含まれる。
【０１００】
そこで、呼び出されるユーザ設定モード中で、現在の画像処理システム１０４で設定付加となるモード設定については、その設定を無効とするか、その設定の選択を不可警告を行う制御を実行するか否かは設計上任意である。
【０１０１】
図８は、本発明に係る画像処理装置における画像処理モード設定処理手順の一例を示すフローチャートである。なお、（１）〜（２１）は図２に示した制御部１００９がハードディスク１００８から呼び出されるモード設定処理プログラムを実行する際の各ステップを示す。
【０１０２】
まず、ステップ（１）で、画像処理システム１０４が設置されているＡ店舗に赴き、操作部１００２に利用者が自身の指で節電モードキー３１６Ａが押下しているか否かを制御部１００９が判断し、節電モードキー３１６Ａを押下している判断した場合には、図示しない読取り機構を介して、利用者の指の画像情報を読み取って、所定の画像処理（例えば指紋の特定点を抽出する処理）により抽出される指紋データをコンピュータインタフェース部１００７，インターネット１０５を介してメインサーバ１０１へ送信する。
【０１０３】
そして、ステップ（２）で、公知の指紋照合処理技術を利用して、メインサーバ１０１が図５に示したように、ユーザ設定ファイル格納部５０３に登録されているユーザの指紋認証データとの一致不一致を照合して得られる照合結果データをメインサーバ１０１から取得して、操作部の節電モードキー３１６Ａを押下している該利用者を特定する。
【０１０４】
そして、ステップ（３）で、該指押下者が指紋登録者であると認証されたかどうか（ＯＫ）を制御部１００９が判断して、該押下者が指紋登録者でないと判断した場合は、ランプドライバ１０１３を介して警告灯１０１２を点灯する（４）。これにより、店舗管理者は、画像処理システム１０４を操作しているユーザが現金支払い等を必要とし、監視対象利用者として注意を払うことが可能となる。
【０１０５】
一方、ステップ（３）で、該指押下者が指紋登録者であると認証された場合には、制御部１００９は、ステップ（５）で、登録されているユーザＩＤ（例えばユーザ設定ファイル格納部５０３に管理されているクレジット番号）を操作部１００２より入力することを選択したかどうかを判断して、ユーザＩＤを入力していないと判断した場合は、ステップ（７）へ進む。
【０１０６】
一方、ステップ（５）で、ユーザＩＤ入力を選択していると判断した場合は、ステップ（６）で、ユーザＩＤを操作部１００２から入力する。
【０１０７】
次に、ステップ（７）で、プリンタ部１００４に備える図示しないセンサによりから給紙可能な用紙を検知したら、利用者がマイク１０１４に対して所望のオペレーション要求を発声して、ステップ（８）で、音声入力処理部１０１５がその利用者からの音声入力を受信したら、ステップ（９）で、その音声入力データをメインサーバ１０１へ転送して音声解読処理を行う。
【０１０８】
そして、その音声入力データに対応したユーザ設定ファイルをユーザ設定ファイル管理部５０４が検索できたかどうか、すなわち、ステップ（１０）で、メインサーバ１０１よりユーザ設定ファイルを受信しているか（音声解読ＯＫ）かどうかを制御部１００９が判断して、解読できたと判断した場合には、当該利用者が操作してきている操作ログを使用する選択を行っているかどうか、すなわち操作部１００２に表示される、例えば「過去の操作」を選択指示しているかどうかを制御部１００９が判断して、選択していないと判断した場合は、ステップ（１５）へ進む。
【０１０９】
一方、ステップ（１３）で、選択していると判断した場合は、ユーザ設定ファイル管理部５０４がユーザ設定ファイル格納部５０３を検索して、ステップ（１４）で、メインサーバ１０１から転送される当該利用者の操作ログ５０３Ｄを取り出し、ステップ（１５）で、操作部１００２にパネル表示する。なお、ステップ（１３）で、ＮＯと判断された場合には、ステップ（１５）で、ステップ（９）で、音声解読に基づいてメインサーバ１０１から取得しているユーザ設定ファイルを操作部１００２にパネル表示する。
【０１１０】
そして、ステップ（１６）で、制御部１００９が操作部１００２で表示されている内容に基づく画像処理を選択するかどうかの確認指示がなされているかどうかを判断して、確認指示がなされていないと判断した場合は、ステップ（８）へ戻り、確認指示がなされていると判断した場合には、ステップ（１７）で、操作部１００２にパネル表示された内容の画像処理モードに基づく画像処理を実行する。
【０１１１】
一方、ステップ（１０）で、メインサーバ１０１よりユーザ設定ファイルを受信しているか（音声解読ＯＫ）かどうかを制御部１００９が判断して、解読できないと判断した場合（例えばそのようなユーザ設定が存在しない場合を含む）には、ステップ（１１）で、通常の画像処理時と同様に、利用者が操作部１００２に配置されているキーを操作して、所望の画像処理モードを設定する。
【０１１２】
そして、ステップ（１２）で、制御部１００９が操作部１００２で表示されている内容に基づく画像処理を選択するかどうかの確認指示がなされているかどうかを判断して、確認指示がなされていないと判断した場合は、ステップ（１１）へ戻り、確認指示がなされていると判断した場合には、ステップ（１７）で、操作部１００２にパネル表示された内容の画像処理モードに基づく画像処理を実行する。
【０１１３】
そして、ステップ（１８）で、制御部１００９が操作ＩＤ発行を要求しているかどうかを判断して、操作ＩＤ発行を要求していると判断した場合は、ステップ（１９）で、操作ＩＤを利用者に発行して操作部１００２に表示する。
【０１１４】
一方、ステップ（１８）で、操作ＩＤ発行を要求していないと判断した場合は、ステップ（２０）で、利用者がメインサーバ１０１のユーザ設定ファイル格納部５０３に登録されているＤＢ登録者かどうかを制御部１００９がメインサーバ１０１に問い合わせて、該問い合わせの結果に基づき判断して、ＤＢ登録者であると判断した場合は、今回の利用料金（課金）データをメインサーバ１０１のユーザ設定ファイル格納部５０３上のユーザ設定ＬＵＴ５０３Ａの課金データとして登録するため、画像処理に伴う操作履歴データに付加してメインサーバ１０１へ転送して、処理をステップ（１）へ戻す。なお、転送された課金データに従い、利用者が契約しているクレジット会社等より、毎月指定日に銀行引き落とし処理が実行される。
【０１１５】
一方、ステップ（２０）で、ＤＢ登録者でないと判断した場合は、ステップ（２１）で、利用者が実行した画像処理に伴う料金を算出して、該算出結果をプリンタ部１００４で選択可能な最小サイズの用紙にプリントアウトし、処理をステップ（１）へ戻す。
【０１１６】
これにより、ユーザが設定した操作モード中で、複数のパラメータ中で、全てのパラメータを音声入力しなくても、例えばコピーと利用者が発声すれば、コピーとして登録されているユーザ設定ファイルが全て検索されて、操作部１００２にリストアップ表示されるので、その中から利用者が所望の画像処理モードを選択すればよい。
【０１１７】
なお、料金のプリントアウトは、所定のファーマットに従うバーコード印刷であってもよいし、算用数値による印刷であってもよい。このプリントアウトに従い、利用者はレジスタにてその代金を現金等により決済する。
【０１１８】
なお、上記実施形態では、マイク１０１４による音声入力をメインサーバ１０１側の音声処理部５０２で解析処理する場合について説明しているが、音声入力処理部１０１５で処理することも可能であり、この場合は、操作部１００２に表示されている文字を、例えば点滅表示される文字を利用者が読み上げることにより、「コピー」，「Ａ４」，「３部」，「縮小」，「７０％」等を順次読み上げることにより、制御部１００９が、音声入力処理部１０１５で解析処理したコードを操作指示として確定することにより、所望の設定をマイク１０１４で読み上げるだけで、利用者が意図する操作指示を誰でも簡単に設定することができることはいうまでもない。
【０１１９】
〔第２実施形態〕
上記第１実施形態では、操作部１００２より設定されたものをＩＤとともにメインサーバ１０１で登録して、いずれの店舗に設置されている画像処理システム１０４でも、一度設定した操作モードを再現性よく簡単な音声入力で行える場合について説明したが、図１に示したユーザ装置１０２により、個々のユーザがあらかじめ設定すべき操作モードをメインサーバ１０１が管理するユーザ設定ファイル格納部５０３に登録、あるいは登録した操作モードの更新あるいは削除、あるいは内容を確認参照する等を行えるようにして、ユーザの操作モード設定の利便性を向上できるように構成してもよい。
【０１２０】
図９は、本発明の第２実施形態を示すサーバ装置を適用可能な画像処理システムの一例を示す図であり、図１に示したユーザ装置１０２より、インターネット１０５を介してメインサーバ１０１が管理するユーザ設定ファイル格納部５０３のユーザ設定ファイルへのアクセスを可能とするシステムに対応する。
【０１２１】
図９において、１０２Ａはマイクロホンで、音声入力により音声処理された音声データがメインサーバ１０１の音声処理部５０２へ取り込まれる。
【０１２２】
なお、ユーザ装置１０２は、通常のパーソナルコンピュータと同等の機能を備え、所定のＯＳの管理下で、各種のアプリケーションを実行可能に構成されている。
【０１２３】
本実施形態では、第１実施形態と同様に、ユーザ装置１０２がメインサーバ１０１が提供してるホームページ（当該ユーザ設定ファイルページ）等をＷｅｂブラウザでに表示した後、利用者がマイク１０２Ａに対してユーザ認証処理等を実行した後、当該登録ユーザのユーザ設定ファイルをＷｅｂ表示して、所望のユーザ設定の追加，変更，削除を行える。また、課金データは、現在までの積算課金結果を参照できることはいうまでもない。
【０１２４】
また、本実施形態では、ユーザ設定ファイル格納部５０３で管理されているユーザ設定ファイルＬＵＴ５０３Ａを参照可能としているが、操作ログをも参照可能に構成してもよい。
【０１２５】
〔第３実施形態〕
上記第１，第２実施形態では、主に画像処理装置側における操作設定処理について説明したが、以下、第３実施形態では、第１，第２実施形態に関連するサーバ装置側の処理について説明する。
【０１２６】
図１０は、本発明に係るサーバ装置におけるユーザ設定処理手順の一例を示すフローチャートであり、図５に示したメインサーバ１０１側のデータ処理手順に対応する。なお、（３１）〜（４６）は各ステップを示す。
【０１２７】
まず、ステップ（３１）で、任意の店舗に設置されている画像処理システム１０４の操作部１００２の節電モードキー３１６Ａが指で押下指示されることに基づく、画像処理システム１０４からの指紋照合要求を受信すると、ステップ（３２）で、画像処理システム１０４が読み取った指紋データを受信するのを待って、画像処理システム１０４より指紋データを受信したら、ステップ（３３）で、指紋処理部５０１が受信した指紋データとユーザ設定ファイル格納部５０３に格納されているユーザ設定ファイルの指紋データとを照合して一致するかどうか（照合ＯＫ）を判断し、照合ＯＫと判断されずに、未登録であると判断した場合には、ステップ（３４）で、照合エラーを画像処理システム１０４に通知して、処理を終了する。
【０１２８】
一方、ステップ（３３）で、照合ＯＫと判断された場合には、ステップ（３５）で、照合ＯＫを画像処理システム１０４に通知して、処理を終了する
一方、ステップ（３１）で、受信した要求が指紋照合要求でないと判断した場合には、ステップ（３６）で、利用者が画像処理システム１０４のマイク１０１４による音声操作設定に基づく音声認識要求かどうかを判断して、音声認識要求であると判断した場合には、ステップ（３７）で、画像処理システム１０４が転送される操作設定に関する利用者の音声データを受信するのを待って、画像処理システム１０４より音声データを受信したら、ステップ（３８）で、音声処理部５０２が受信した音声データとユーザ設定ファイル格納部５０３に格納されているユーザ設定ファイルの音声判別データとを照合検索して、ステップ（３９）で、音声が一致するファイルがあるか否かを音声処理部５０２が判断し、一致するファイルがあると判断されずに、未登録であると判断した場合には、ステップ（４０）で、音声一致ファイル無しを画像処理システム１０４に通知して、処理を終了する。
【０１２９】
一方、ステップ（３９）で、音声一致ファイルがあると判断した場合は、ステップ（４１）で、一致する音声ファイルのユーザ設定ファイルを画像処理システム１０４に転送して、処理を終了する。
【０１３０】
一方、ステップ（３６）で、音声認識要求でないと判断した場合は、ステップ（４２）で、画像処理システム１０４からの課金処理要求かどうかを判断して、課金処理要求でないと判断した場合は、処理を終了する。
【０１３１】
一方、ステップ（４２）で、課金処理要求であると判断した場合には、ステップ（４３）で、画像処理システム１０４より転送される利用者が課金管理対象者かどうかを判断して、課金対象外であれば、ステップ（４４）で、その旨の画像処理システムに通知して、処理を終了する。
【０１３２】
一方、ステップ（４３）で、課金対象者であると判断した場合には、ステップ（４５）で、課金データを受信するのを待って、画像処理システム１０４より課金データを受信したら、ステップ（４６）で、課金処理部５０５が課金ファイル格納部５０６で管理されるユーザ別の課金ファイルに登録、または更新して、処理を終了する。
【０１３３】
なお、ユーザ設定ファイルＬＵＴ５０３Ａで管理する課金データで、最新利用までに基づく課金総計を管理することも可能であるが、本実施形態では、利用状況をも含めて課金処理部５０５がユーザ別に課金ファイルを管理している。
【０１３４】
本発明は上記実施形態に限定されるものではなく、本発明の趣旨に基づき種々の変形が可能であり、それらを本発明の範囲から排除するものではない。
【０１３５】
以下、図１１，図１２に示すメモリマップを参照して本発明に係る画像処理装置，サーバ装置で読み出し可能なデータ処理プログラムの構成について説明する。
【０１３６】
図１１は、本発明に係る画像処理装置で読み出し可能な各種データ処理プログラムを格納する記憶媒体のメモリマップを説明する図であり、図１２は、本発明に係るサーバ装置で読み出し可能な各種データ処理プログラムを格納する記憶媒体のメモリマップを説明する図である。
【０１３７】
なお、特に図示しないが、記憶媒体に記憶されるプログラム群を管理する情報、例えばバージョン情報，作成者等も記憶され、かつ、プログラム読み出し側のＯＳ等に依存する情報、例えばプログラムを識別表示するアイコン等も記憶される場合もある。
【０１３８】
さらに、各種プログラムに従属するデータも上記ディレクトリに管理されている。また、各種プログラムをコンピュータにインストールするためのプログラムや、インストールするプログラムが圧縮されている場合に、解凍するプログラム等も記憶される場合もある。
【０１３９】
本実施形態における図８，図１０に示す機能が外部からインストールされるプログラムによって、ホストコンピュータにより遂行されていてもよい。そして、その場合、ＣＤ−ＲＯＭやフラッシュメモリやＦＤ等の記憶媒体により、あるいはネットワークを介して外部の記憶媒体から、プログラムを含む情報群を出力装置に供給される場合でも本発明は適用されるものである。
【０１４０】
以上のように、前述した実施形態の機能を実現するソフトウエアのプログラムコードを記録した記憶媒体を、システムあるいは装置に供給し、そのシステムあるいは装置のコンピュータ（またはＣＰＵやＭＰＵ）が記憶媒体に格納されたプログラムコードを読出し実行することによっても、本発明の目的が達成されることは言うまでもない。
【０１４１】
この場合、記憶媒体から読み出されたプログラムコード自体が本発明の新規な機能を実現することになり、そのプログラムコードを記憶した記憶媒体は本発明を構成することになる。
【０１４２】
プログラムコードを供給するための記憶媒体としては、例えば、フレキシブルディスク，ハードディスク，光ディスク，光磁気ディスク，ＣＤ−ＲＯＭ，ＣＤ−Ｒ，磁気テープ，不揮発性のメモリカード，ＲＯＭ，ＥＥＰＲＯＭ等を用いることができる。
【０１４３】
また、コンピュータが読み出したプログラムコードを実行することにより、前述した実施形態の機能が実現されるだけでなく、そのプログラムコードの指示に基づき、コンピュータ上で稼働しているＯＳ（オペレーティングシステム）等が実際の処理の一部または全部を行い、その処理によって前述した実施形態の機能が実現される場合も含まれることは言うまでもない。
【０１４４】
さらに、記憶媒体から読み出されたプログラムコードが、コンピュータに挿入された機能拡張ボードやコンピュータに接続された機能拡張ユニットに備わるメモリに書き込まれた後、そのプログラムコードの指示に基づき、その機能拡張ボードや機能拡張ユニットに備わるＣＰＵ等が実際の処理の一部または全部を行い、その処理によって前述した実施形態の機能が実現される場合も含まれることは言うまでもない。
【０１４５】
【発明の効果】
以上説明したように、本発明に係る画像処理装置および画像処理設定方法およびコンピュータが読取り可能な記憶媒体およびプログラムによれば、サーバ装置と通信可能な画像処理装置において、画像処理モードを設定する操作部上の所定のキーに対する利用者の指操作時に、該利用者の指紋情報を読み取り、読み取られる指紋情報と前記サーバ装置で管理されるユーザ設定ファイルとを照合して利用者を特定するとともに、利用者が読み上げた音声データである検索キー情報に基づき、該特定された利用者に関するユーザ設定ファイルを前記サーバ装置から取得し、該取得されるユーザ設定ファイルに対する前記操作部に対する利用者からの選択指示に基づき、画像処理モードを確定することにより、画像処理装置を利用する利用者が操作パネルに指を触れた後、音声による操作設定を読み上げるという簡単な操作で、ユーザが意図する画像処理モードを容易に設定できる。
【０１４６】
また、本発明に係るサーバ装置および画像処理設定方法およびコンピュータが読取り可能な記憶媒体およびプログラムによれば、インターネットを利用して画像処理装置と通信可能なサーバ装置において、画像処理装置から通知される画像処理モード，指紋データ，音声データ，課金データを解析してユーザ設定ファイル格納部にユーザＩＤとともに登録して管理して、ユーザＩＤに従い課金データに基づく利用料金を電子取引で決済することにより、店舗等に設置される課金処理が必要な画像処理装置におけるユーザが精算すべき利用料金を自動決済処理できる。
【０１４７】
さらに、本発明に係る画像処理システムによれば、サーバ装置と画像処理装置とが通信可能な画像処理システムにおいて、画像処理モードを設定する操作部上の所定のキーに対する利用者の指操作時に、該利用者の指紋情報を読み取り、読み取られる指紋情報と前記サーバ装置で管理されるユーザ設定ファイルとを照合して利用者を特定するとともに、利用者が読み上げた音声データである検索キー情報に基づき、該特定された利用者に関するユーザ設定ファイルを前記サーバ装置から取得し、該取得されるユーザ設定ファイルに対する前記操作部に対する利用者からの選択指示に基づき、画像処理モードを確定するとともに、画像処理装置から通知される画像処理モード，指紋データ，音声データ，課金データを解析してユーザ設定ファイル格納部にユーザＩＤとともに登録して管理して、ユーザＩＤに従い課金データに基づく利用料金を電子取引で決済するので、画像処理装置を利用する利用者が操作パネルに指を触れた後、音声による操作設定を読み上げるという簡単な操作で、ユーザが意図する画像処理モードを容易に設定できるとともに、店舗等に設置される課金処理が必要な画像処理装置におけるユーザが精算すべき利用料金を自動決済処理して、利用者が意図する画像処理サービスを快適に利用できる利便性に優れた画像処理システム環境を自在に構築できる等の効果を奏する。
【図面の簡単な説明】
【図１】本発明に係る画像処理装置およびサーバ装置を適用可能な画像処理システムの一例を示す図である。
【図２】本発明の第一実施形態を示す画像処理装置の制御構成を説明するブロック図である。
【図３】図２に示したリーダ部及びプリンタ部の構成を説明する断面図である。
【図４】図２に示した操作部の構成を説明する平面図である。
【図５】図１に示したメインサーバ側のデータ処理機構を説明するブロック図である。
【図６】本発明に係る画像処理システムにおける操作設定例を説明する概念図である。
【図７】図５に示したユーザ設定ファイル格納部のデータ構造を説明する図である。
【図８】本発明に係る画像処理装置における画像処理モード設定処理手順の一例を示すフローチャートである。
【図９】本発明の第２実施形態を示すサーバ装置を適用可能な画像処理システムの一例を示す図である。
【図１０】本発明に係るサーバ装置におけるユーザ設定処理手順の一例を示すフローチャートである。
【図１１】本発明に係る画像処理装置で読み出し可能な各種データ処理プログラムを格納する記憶媒体のメモリマップを説明する図である。
【図１２】本発明に係るサーバ装置で読み出し可能な各種データ処理プログラムを格納する記憶媒体のメモリマップを説明する図である。
【符号の説明】
１０１　メインサーバ
１０２　ユーザ装置
１０４　画像処理システム
１００１　デジタル複写機本体
１００６　ファクシミリ部
１００８　ハードディスク
１００９　制御部
【図１】
2004030392.tif 000003
【図２】
2004030392.tif 000004
【図３】
2004030392.tif 000005
【図４】
2004030392.tif 000006
【図５】
2004030392.tif 000007
【図６】
2004030392.tif 000008
【図７】
2004030392.tif 000009
【図８】
2004030392.tif 000010
【図９】
2004030392.tif 000011
【図１０】
2004030392.tif 000012
【図１１】
2004030392.tif 000013
【図１２】
2004030392.tif 000014